(57)【要約】【課題】本発明は、プロセスカラー成分と特色成分を有し各色の濃度データで表現される入力画像を網点データで表現される網点画像に変換する画像変換装置等に関し、印刷画像のどの部分に特色が用いられているかを認識することのできるプルーフ画像を得るための画像データに変換する。【解決手段】プロセスカラー成分と特色成分を有する濃度データで表現された入力画像を入力し、第１の網点化手段３１０でプロセスカラー成分を網点化し、特色成分については特色分解手段３２０で２以上の色に分解した上で、第２の網点化手段３３０により、第１の網点化手段３１０で用いられる網種と比べ例えば線数の多い網種を用いて網点化し、それぞれ網点化された、プロセスカラー成分と、特色成分のうちのプロセスカラー成分を、網点合成手段３４０により、各プロセスカラーごとに合成する。【選択図】        図５
2005101945.tif 000002
【特許請求の範囲】
【請求項１】
プロセスカラー成分と特色成分を有し各色の濃度データで表現される入力画像を網点データで表現される網点画像に変換する画像変換装置において、
入力画像を構成するプロセスカラー成分を所定の網種で網点化する第１の網点化手段と、
入力画像を構成する特色成分をプロセスカラーの各色と他の所定の色とからなる群の中から選択される２以上の色に分解する特色分解手段と、
前記特色分解手段により２以上の色に分解された特色成分を前記第１の網点化手段で用いられる網種とは異なる網種を用いて網点化する第２の網点化手段と、
前記第１の網点化手段で得られた、網点化されたプロセスカラー成分と、前記第２の網点化手段で得られた、２以上の色に分解されて網点化された特色成分のうちのプロセスカラー成分を、プロセスカラーの各色ごとに合成する網点合成手段とを備えたことを特徴とする画像変換装置。
【請求項２】
前記第２の網点化手段は、前記特色分解手段により２以上の色に分解された特色成分を、前記第１の網点化手段で用いられる網種の線数よりも高い線数の網種を用いて網点化するものであることを特徴とする請求項１記載の画像変換装置。
【請求項３】
前記特色分解手段が、シアン、マゼンタ、イエロー、ブラック、オレンジ、およびグリーンからなる群の中から選択される２色以上の色に分解するものであることを特徴とする請求項１記載の画像変換装置。
【請求項４】
コンピュータ内で実行され、該コンピュータを、プロセスカラー成分と特色成分を有し各色の濃度データで表現される入力画像を網点データで表現される網点画像に変換する画像変換装置として動作させる画像変換プログラムにおいて、
入力画像を構成するプロセスカラー成分を所定の網種で網点化する第１の網点化手段と、
入力画像を構成する特色成分をプロセスカラーの各色と他の所定の色とからなる群の中から選択される２以上の色に分解する特色分解手段と、
前記特色分解手段により２以上の色に分解された特色成分を前記第１の網点化手段で用いられる網種とは異なる網種を用いて網点化する第２の網点化手段と、
前記第１の網点化手段で得られた、網点化されたプロセスカラー成分と、前記第２の網点化手段で得られた、２以上の色に分解されて網点化された特色成分のうちのプロセスカラー成分を、プロセスカラーの各色ごとに合成する網点合成手段とを有することを特徴とする画像変換プログラム。
【発明の詳細な説明】
【技術分野】
【０００１】
本発明は、プロセスカラー成分と特色成分を有し各色の濃度データで表現される入力画像を網点データで表現される網点画像に変換する画像変換装置、およびコンピュータをそのような画像変換装置として動作させる画像変換プログラムに関する。
【背景技術】
【０００２】
従来より、印刷機を用いて画像印刷を行なうにあたっては、印刷を行なう前に、プリンタ等を用いて、その印刷機での印刷によって得られる印刷画像に似せたプルーフ画像を作成し、所望の印刷物が得られるか否かを調べることが行なわれている。そのようなプルーフ画像を作成するためのプリンタや、そのプリンタが組み込まれたコンピュータシステムのことをプルーファと称する。
【０００３】
プルーフ画像を作成した結果、何らかの気に入らない点を発見したときは、その気に入らない点を修正すべく、編集やその他の最終的な印刷物に何らかの影響を及ぼす条件の調整が行なわれ、再度プルーフ画像が作成される。
【０００４】
このように、プルーフ画像の作成と、条件の変更とを繰り返すことによって、最終的に、所望の印刷物を得るための印刷条件を求めることができる。
【０００５】
ここで、印刷機を用いて画像印刷を行なうにあたっては、Ｃ（シアン）、Ｍ（マゼンタ）、およびＹ（イエロー）の３色、あるいはＣ，Ｍ，ＹにさらにＫ（ブラック）を加えた４色のプロセスカラーインクが用いられ、網点により様々な色が表現されるが、それらのプロセスカラーに加え、さらに特色インクと呼ばれる、表現しようとする色そのものの色を持つインクが用いられることがある。
【０００６】
ここで、そのような特色インクを用いた印刷画像の色に似せたプルーフ画像をプリンタで作成しようとしたとき、プリンタでは、通常そのような特色インクは使われずに、例えばＣ，Ｍ，Ｙ，Ｋのプロセスカラーインクや、その他Ｏ（オレンジ）、Ｇ（グリーン）といった、そのプリンタで使用されるいくつかの色のみで色を表現することになる。
【０００７】
この場合、印刷画像はプロセスカラーインクと特色インクで表現されるため、特色インクの色をプリンタで使用される色の中から選択される２以上の色に分解し、もともとＣ，Ｍ，Ｙ，Ｋのプロセスカラーで表現された濃度データと特色を分解したときの２以上の色のうちのＣ，Ｍ，Ｙ，Ｋのいずれかで表現された濃度データを各プロセスカラーごとに統合（通常は加算）し、そのようにして得た、そのプリンタで使用可能なインクの色のみで表現された濃度データに基づいてプルーフ画像が作成される。
【０００８】
プルーフ画像を生成するプルーファの中には、網点データに基づいてプルーフ画像を生成するプルーファが存在し、そのようなプルーファを用いて特色を含む印刷画像のプルーフ画像を生成する場合、上記のようにして得られた、そのプリンタで使用可能なインクの色のみで表現された濃度データが、各色ごとに網点データに変換され、それらの網点データに基づいてプルーフ画像が生成される。
【０００９】
特色を含む印刷画像のプルーフ画像を得るときに、上記のように特色を分解し、その特色を分解して得た２以上の色のうちのプロセスカラーについてもともとのプロセスカラーの成分と各色ごとに統合し、このようにして得たそのプリンタで使用可能なインクの色の画像データに基づいてプルーフ画像を生成してもプルーフ画像の生成は可能であるが、そのようにして得られたプルーフ画像上では、印刷画像中のある部分の画像が特色成分で表現されているのかプロセスカラーで表現されているのか分かりにくくなってしまい、印刷画像の仕上がりを評価する際の重要な情報が欠けたプルーフ画像が得られてしまうという問題がある。
【００１０】
これを解決するために、様々な特色をそのまま使ってプルーフ画像を生成するプルーファを備えることも考えられるが、そのようなプルーファを用意するのは極めてコスト高であるとともに、特色には多くの種類があり、印刷用の特色と同一色の多数の特色を用意しておく訳にはいかず、そのようなプルーファを備えることは非現実的である。
【００１１】
また、特許文献１には、上記問題を解決し、プロセスカラー成分で表現された領域を相互に判別することのできるプルーフ画像を生成するための画像変換装置が提案されているが、この画像変換装置はプロセスカラーのみで色を表現するプリンタに適合したものであり、プロセスカラーのほか、例えばＯ（オレンジ）、Ｇ（グリーン）といった他の色を併用するプリンタには適合しない。
【特許文献１】特開２００３−７８７７８号公報
【発明の開示】
【発明が解決しようとする課題】
【００１２】
本発明は、上記事情に鑑み、プロセスカラーとその他の色インクとを併用するプリンタを採用しそのプリンタで使用可能な色のみを用いてプルーフ画像を生成するプルーファに適し、しかも、もともとがプロセスカラーで表現されていたか特色で表現されていたかをプルーフ画像上で判別することのできるプルーフ画像の生成に適したデータの変換を行なう画像変換装置、およびコンピュータをそのような画像変換装置として動作させる画像変換プログラムを提供することを目的とする。
【課題を解決するための手段】
【００１３】
上記目的を達成する本発明の画像変換装置は、プロセスカラー成分と特色成分を有し各色の濃度データで表現される入力画像を網点データで表現される網点画像に変換する画像変換装置において、
入力画像を構成するプロセスカラー成分を所定の網種で網点化する第１の網点化手段と、
入力画像を構成する特色成分をプロセスカラーの各色と他の所定の色とからなる群の中から選択される２以上の色に分解する特色分解手段と、
特色分解手段により２以上の色に分解された特色成分を第１の網点化手段で用いられる網種とは異なる網種を用いて網点化する第２の網点化手段と、
第１の網点化手段で得られた、網点化されたプロセスカラー成分と、第２の網点化手段で得られた、２以上の色に分解されて網点化された特色成分のうちのプロセスカラー成分を、プロセスカラーの各色ごとに合成する網点合成手段とを備えたことを特徴とする。
【００１４】
本発明の画像変換装置は、特色成分を２以上の色に分解し、その特色成分が分解された２以上の色を、もともとのプロセスカラー成分の網点化とは別に、もともとのプロセスカラー成分の網点化に用いた網種とは異なる網種を用いて網点化し、それら別々に網点化されたデータを、プロセスカラーの各色ごとに合成するものであり、こうすることにより、この合成後の網点データに基づいてプルーフ画像を生成すると、網種の相違により、もともとプロセスカラーで表現された部分と特色で表現された部分とをプルーフ画像上で見分けることができる。
【００１５】
ここで、上記本発明の画像変換装置において、上記第２の網点化手段は、特色分解手段により２以上の色に分解された特色成分を、第１の網点化手段で用いられる網種の線数よりも高い線数の網種を用いて網点化するものであることが好ましい。
【００１６】
特色は、ソリッドの部分（網点面積率の高い部分）に用いられる傾向があり、したがってプロセスカラー成分と特色成分に別々に網点化処理を施すにあたっては、特色成分の方に高い線数の網種を用いて網点化することにより、プルーフ画像上で、その領域が特色で表現された領域であるという印象を強めることができる。
【００１７】
また、上記本発明の画像変換装置において、
上記特色分解手段が、シアン、マゼンタ、イエロー、ブラック、オレンジ、およびグリーンからなる群の中から選択される２色以上の色に分解するものであってもよい。
【００１８】
プルーファとして用いられるプリンタでは、Ｃ，Ｍ，Ｙ，Ｋに加え、さらにＯ，Ｇの色インクが使用されることが多い。
【００１９】
また、上記目的を達成する本発明の画像変換プログラムは、コンピュータ内で実行され、そのコンピュータを、プロセスカラー成分と特色成分を有し各色の濃度データで表現される入力画像を網点データで表現される網点画像に変換する画像変換装置として動作させる画像変換プログラムにおいて、
入力画像を構成するプロセスカラー成分を所定の網種で網点化する第１の網点化手段と、
入力画像を構成する特色成分をプロセスカラーの各色と他の色とからなる群の中から選択される２以上の色に分解する特色分解手段と、
特色分解手段により２以上の色に分解された特色成分を第１の網点化手段で用いられる網種とは異なる網種を用いて網点化する第２の網点化手段と、
第１の網点化手段で得られた、網点化されたプロセスカラー成分と、第２の網点化手段で得られた、２以上の色に分解されて網点化された特色成分のうちのプロセスカラー成分を、プロセスカラーの各色ごとに合成する網点合成手段とを有することを特徴とする。
【００２０】
ここで、上記本発明の画像変換プログラムにおいて、上記第２の網点化手段は、特色分解手段により２以上の色に分解された特色成分を、第１の網点化手段で用いられる網種の線数よりも高い線数の網種を用いて網点化するものであることが好ましい。
【００２１】
また、上記本発明の画像変換プログラムにおいて、上記特色分解手段が、シアン、マゼンタ、イエロー、ブラック、オレンジ、およびグリーンからなる群の中から選択される２色以上の色に分解するものであってもよい。
【発明の効果】
【００２２】
以上、説明したように、本発明によれば、プロセスカラー成分と特色成分とで表現されるデータ上の入力画像を、プロセスカラーに加えさらに他の色を併用するプリンタを用いて印刷画像のどの部分に特色が用いられているかを認識することのできるプルーフ画像を出力するためのデータ上の網点画像に変換することができる。
【発明を実施するための最良の形態】
【００２３】
以下、本発明の実施形態について説明する。
【００２４】
図１は、本発明の画像変換装置の一実施形態が組み込まれた印刷プルーフシステムの全体構成図である。
【００２５】
カラースキャナ１０では、原稿画像が読み取られて、その読み取った原稿画像をあらわす、Ｃ（シアン）、Ｍ（マゼンタ）、Ｙ（イエロー）、Ｋ（ブラック）からなる４色の色分解画像データが生成される。このＣＭＹＫの画像データはワークステーション２０に入力される。ワークステーション２０では、オペレータにより、入力された画像データに基づく、電子的な集版が行なわれる。ここでは、この電子集版において、さらにＣＭＹＫ４色以外の特色のデータが追加され、印刷用の画像をあらわす画像データが生成される。この印刷用の画像データは、ＣＭＹＫ４色および特色のそれぞれについて階調を有する画素からなる画像を表している。印刷を行なう場合は、この印刷用の画像データが、網点画像を表す製版用の画像データに変換されてフィルムプリンタ３０に入力され、その製版用の画像データに対応した、ＣＭＹＫおよび特色の各版の印刷用フィルム原版が作成される。
【００２６】
この印刷用フィルム原版からは刷版が作成され、その作成された刷版が印刷機４０に装着される。この印刷機４０に装着された刷版にはインクが塗布され、その塗布されたインクが印刷用の用紙上に転移されてその用紙上に印刷画像４１が形成される。
【００２７】
この、フィルムプリンタ３０によりフィルム原版を作成し、さらに刷版を作成して印刷機４０に装着し、その刷版にインクを塗布して用紙上に印刷を行なう一連の作業は、大がかりな作業であり、コストもかかる。このため、実際の印刷作業を行なう前に、パーソナルコンピュータ５０とプリンタ６０とで構成されたプルーファ７０により、以下のようにしてプルーフ画像７１を作成し、印刷画像４１の仕上りの事前確認が行なわれる。
【００２８】
プルーフ画像７１を作成するにあたっては、ワークステーション２０上の電子集版により作成された印刷用の画像データがパーソナルコンピュータ５０に入力される。このパーソナルコンピュータ５０に入力される印刷用の画像データは、上述したように、ＣＭＹＫ４色および特色それぞれについて階調を有する画素からなる画像を表しており、パーソナルコンピュータ５０では、この印刷用の画像データが、プルーフ画像７１を出力しようとしているプリンタ６０に適合したプルーフ画像データに変換される。プリンタ６０には、そのプルーフ画像データが入力され、プリンタ６０では、その入力されたプルーフ画像データに基づくプルーフ画像７１が作成される。
【００２９】
ここで、このプリンタ６０は、Ｃ，Ｍ，Ｙ，Ｋからなるプロセスカラー４色と、さらにＯ，Ｇの２色のインクが使用可能であって、これら合計６色のインクの全てあるいは一部のインクからなる網点画像を作成するプリンタである。プルーファ７０は、この図１に示すワークステーション２０から、コンピュータネットワークを介して、あるいは、ＭＯディスク（光磁気ディスク）によって印刷用の画像データを受け取る。
【００３０】
プルーファ７０では、このようにして受け取った画像データに基づいてプルーフ画像が作成される。そのプルーフ画像を確認することにより、印刷の仕上りを事前に確認することができる。
【００３１】
図２は、図１に示すプルーファ７０の外観斜視図、図３は、そのプルーファ７０のハードウェア構成図である。
【００３２】
上述したように、このプルーファ７０は、パーソナルコンピュータ５０とプリンタ６０で構成されており、パーソナルコンピュータ５０は、外観構成上、本体装置５１、その本体装置５１からの指示に応じて表示画面５２ａ上に画像を表示する画像表示装置５２、本体装置５１に、キー操作に応じた各種の情報を入力するキーボード５３、および、表示画面５２ａ上の任意の位置を指定することにより、その位置に表示されたアイコン等に応じた指示を入力するマウス５４を備えている。また、本体装置５１は、外観上、ＭＯディスク１００を装填するためのＭＯ装填口５１ａ、およびＣＤ−ＲＯＭを装填するためのＣＤ−ＲＯＭ装填口５１ｂを有する。このパーソナルコンピュータ５０は、本発明の画像変換装置の一実施形態として動作する。
【００３３】
プリンタ６０は、プルーフ画像出力用のプリンタであり、パーソナルコンピュータ５０による指示に従い、パーソナルコンピュータ５０から網点データを受け取ってプルーフ画像７１を用紙２００上に出力する。
【００３４】
本体装置５１の内部には、図３に示すように、各種プログラムを実行するＣＰＵ５１１、ハードディスク装置５１３に格納されたプログラムが読み出されＣＰＵ５１１での実行のために展開される主メモリ５１２、各種プログラムや画像データ等が保存されるハードディスク装置５１３、ＭＯディスク１００が装填されその装填されたＭＯディスク１００をアクセスするＭＯドライブ５１４、ＣＤ−ＲＯＭ１１０が装填され、その装填されたＣＤ−ＲＯＭ１１０をアクセスするＣＤ−ＲＯＭドライブ５１５、ワークステーション２０（図１参照）と接続され、ワークステーション２０から画像データを受け取る入力インタフェース５１６、プリンタ６０に画像データを送る出力インタフェース５１７が内蔵されている。これらの各種要素、さらには図２にも示す画像表示装置５２、キーボード５３、マウス５４は、バス５５を介して相互に接続されている。
【００３５】
ここで、ＣＤ−ＲＯＭ１１０には、このパーソナルコンピュータ５０を本発明の画像変換装置の一実施形態として動作させるための画像変換プログラムが記憶されており、そのＣＤ−ＲＯＭ１１０はＣＤ−ＲＯＭドライブ５１５に装填され、そのＣＤ−ＲＯＭ１１０に記憶された画像変換プログラムがこのパーソナルコンピュータ５０にアップロードされてハードディスク装置５１３に記憶される。
【００３６】
図４は、本発明の画像変換プログラムの一実施形態を模式的に示した図である。
【００３７】
この画像変換プログラム２００は、ＣＤ−ＲＯＭ１１０に記憶されており、第１の網点化手段２１０、特色分解手段２２０、第２の網点化手段２３０、および網点合成手段２４０から構成されている。各手段２１０〜２４０の作用については後述する。
【００３８】
図５は、本発明の画像変換装置の一実施形態の機能ブロック図である。
【００３９】
この画像変換装置３００は、図４に示す画像変換プログラムが、図１〜図３に示すコンピュータ５０にインストールされて実行されることにより実現するものであり、第１の網点化手段３１０、特色分解手段３２０、第２の網点化手段３３０、および網点合成手段３４０から構成されている。
【００４０】
この画像変換装置３００を構成する各手段３１０〜３４０は、図４に示す画像変換プログラムを構成する、各同一の名称が付された各手段２１０〜２４０に対応するが、図５の画像変換装置３００の各手段３１０〜３４０は、図１〜図３に示すパーソナルコンピュータ５０のハードウェアと、ＯＳ（オペレーティングシステム）と、アプリケーションプログラムとの複合により構成されるものであり、図４の画像変換プログラム２００の各手段２１０〜２４０は、それらのうちのアプリケーションプログラムの部分のみを指している。
【００４１】
以下、図５の画像変換装置３００の各手段３１０〜３４０の作用を説明する。この説明で、図４の画像変換プログラム２００の各手段２１０〜２４０の作用の説明を兼ねることとする。
【００４２】
図５の画像変換装置３００は、図１〜図３に示すパーソナルコンピュータ５０の内部に構築されたものであり、この画像変換装置３００には、図１に示すワークステーションから、特色成分を含む印刷用の画像データで表わされる画像、すなわち、プロセスカラー成分と特色成分を有し各色の濃度データで表現される入力画像が入力される。
【００４３】
図６は、この入力画像の一例を示す図である。
【００４４】
この入力画像７００は、Ｃ，Ｍ，Ｙ，Ｋのプロセスカラーで表現される部分画像７１０と特色で表現される部分画像７２０とを有する。
【００４５】
図７は、図６の入力画像を表わす画像データを模式的に示した図である。
【００４６】
この入力画像は、図７（Ａ）に示すＣ，Ｍ，Ｙ，Ｋの各プロセスカラー成分の濃度データと、図７（Ｂ）に示す特色成分の濃度データとで表現されている。尚、ここでは、簡単のため特色は一色のみ用いられているものとして説明する。
【００４７】
図５の画像変換装置３００に入力された入力画像は、第１の網点化手段３１０と特色分解手段３２０に渡される。
【００４８】
図８は、第１の網点化手段３１０の作用説明のための模式図である。
【００４９】
図８（Ａ）は、図７（Ａ）に示すＣ，Ｍ，Ｙ，Ｋの各プロセスカラーの濃度データと同一の濃度データを示しており、第１の網点化手段３１０では、このＣ，Ｍ，Ｙ，Ｋの各プロセスカラー成分を表わす濃度データが、ある第１の網種を用いて網点化される。図８（Ｂ）はその網点化により得られた網点データにより表現されたＣ，Ｍ，Ｙ，Ｋの各成分を示している。
【００５０】
図９は、特色分解手段３２０の作用説明図である。
【００５１】
特色分解手段３２０には表１に示すような対応表が記憶されており、この特色分解手段３２０では、その対応表が参照されて、特色がＣ，Ｍ，Ｙ，Ｋ，Ｏ，Ｇの中の２以上の色に分解される。
【００５２】
【表１】
2005101945.tif 000003
【００５３】
この表１における、スポットカラー１，スポットカラー２，……は各特色を特定する特色名であり、各特色名に対応する、Ｃ，Ｍ，Ｙ，Ｋ，Ｏ，Ｇの各欄は、その特色名の特色のべた濃度（網点面積率１００％）のときの各色の網点面積率を表わしている。すなわち、例えばスポットカラー２という特色名を持つ特色（網点面積率１００％）は、網点面積率６０％のＭ（マゼンタ）と、網点面積率３０％のＹ（イエロー）と、網点面積率７０％のＯ（オレンジ）とに分解される。
【００５４】
分解前の特色の網点面積率が１００％以外の網点面積率であったときは、分解後の各色の網点面積率は、上記の表１の網点面積率と特色の分解前の網点面積率との積となる。すなわち、スポットカラー２という特色名を持つ特色であって、その特色の網点面積率が６０％であったときは、そのスポットカラー２（網点面積率６０％）は、網点面積率が６０％×０．６＝３６％のＭと、網点面積率が３０％×０．６＝１８％のＹと、網点面積率が７０％×０．６＝４２％のＯとに分解される。
【００５５】
図９（Ａ）は、図７（Ｂ）に示す特色の濃度データと同一のものであり、特色分解手段３２０では、その特色の濃度データが、図９（Ｂ）に示すように、Ｃ，Ｍ，Ｙ，Ｋ，Ｏ，Ｇの中から選択された２以上の色の濃度データに分解される。この図９には、表１のスポットカラー２の例、すなわち、特色の濃度データが、Ｍ，Ｙ，Ｏの３色の濃度データに分解される例が示されている。
【００５６】
図５の特色分解手段３２０で得られた、２色以上の色に分解された後の特色を表わす、各色の濃度データは、第２の網点化手段３３０に入力されている。
【００５７】
図１０は、第２の網点化手段３３０の作用説明図である。
【００５８】
この第２の網点化手段３３０では、特色分解手段３２０から受け取った２色以上の色（ここに示す例ではＭ，Ｙ，Ｏの３色）の濃度データが、ある第２の網種を用いて、それぞれ網点化される。
【００５９】
図１０（Ａ）は、網点化される前の濃度データで表わされる特色成分を示しており、図１０（Ｂ）は各濃度データが第２の網種を用いて網点化されることにより得られた２色以上の色の各網点データにより表わされる特色成分を示している。
【００６０】
ここで、この第２の網点化手段３３０で用いられる、特色成分を網点化するための第２の網種は、第１の網点化手段３１０で用いられる、プロセスカラー成分を網点化するための第１の網種と比べ線数の高い網種である。線数の高い網種を使うと同一の網点面積率の場合、一様にべったりとしたソリッドの印象が高まり、特色が画像のソリッドの部分に用いられることが多いという点と一致し、画像上の印象を特色が用いられるという印象に近づけることができる。
【００６１】
図５の第１の網点化手段３１０と第２の網点化手段３３０でそれぞれ生成された、プロセスカラー成分の網点データと特色成分が２以上の色に分解されてなる網点データは、網点合成手段３４０に入力され、その網点合成手段３４０では、特色成分が分解されてなる２以上の色のうちプロセスカラー成分について、それら双方の網点データが各プロセスカラーごとに合成される。例えば、表１のスポットカラー２の例では、Ｍ，Ｙの２色のプロセスカラーについて合成される。
【００６２】
本実施形態では、この「合成」として、いずれかの網点データが‘１’（インクが付着する領域であることを表わす）であれば合成後の網点データを‘１’とし、双方の網点データが‘０’（インクが付着しない領域であることを表わす）であれば合成後の網点データを‘０’とする処理が行なわれる。
【００６３】
図１１は、網点合成手段の作用説明図である。
【００６４】
網点合成手段３４０では、上記の合成処理より、Ｃ，Ｍ，Ｙ，Ｋ，Ｏ，Ｇからなる色で表わされるとともに、入力画像のプロセスカラー成分と特色成分が別々の網種で表現された網点データが生成される。尚、ここで説明している、表１のスポットカラー２の例では、Ｇ（グリーン）は使用されない。
【００６５】
この網点合成手段３４０で生成された、Ｃ，Ｍ，Ｙ，Ｋ，Ｏ，Ｇの網点データで表現された網点画像は、図１，図２に示すプリンタ６０に入力され、プリンタ６０ではその網点画像（Ｃ，Ｍ，Ｙ，Ｋ，Ｏ，Ｇの網点データ）に基づくプルーフ画像が生成される。
【００６６】
このプルーフ画像は、印刷画像上でプロセスカラーインクで表現される部分と特色インクで表現される部分が異なる網種で表現されたものであり、そのプルーフ画像の観察者は、どの部分に特色が用いられているかが分かり、そのプルーフ画像の評価をより適切に行なうことができる。
【００６７】
また、本実施形態では、プロセスカラーとしてＣ，Ｍ，Ｙ，Ｋの４色を採用した例について説明したが、プロセスカラーとしてＣ，Ｍ，Ｙの３色を採用する場合にも本発明を適用することができる。また、ここでは、プロセスカラー以外の他の色としてＯ，Ｇの２色を採用する例について説明したが、Ｏ，Ｇのうちいずれか一方の色、あるいはＯ，Ｇ以外の色を採用する場合にも、本発明を適用することができる。
【００６８】
また、本実施形態では、第２の網点化手段では、第１の網点化手段で用いられる第１の網種と比べ、その第１の網種の線数よりも高い線数の第２の網種を用いる旨説明したが、網種の線数はいずれが高くてもよい。また線数を変えることは必ずしも必要ではなく、例えば線数は同一でも網の形状が異なるなど、何らかの違いのある網種を用いればプルーフ画像上でプロセスカラー成分と特色成分の相違を認識することができる。
【図面の簡単な説明】
【００６９】
【図１】本発明の画像変換装置の一実施形態が組み込まれた印刷プルーフシステムの全体構成図である。
【図２】図１に示すプルーファの外観斜視図である。
【図３】そのプルーファのハードウェア構成図である。
【図４】本発明の画像変換プログラムの一実施形態を模式的に示した図である。
【図５】本発明の画像変換装置の一実施形態の機能ブロック図である。
【図６】入力画像の一例を示す図である。
【図７】入力画像を表わす画像データを模式的に示した図である。
【図８】第１の網点化手段の作用説明のための模式図である。
【図９】特色分解手段の作用説明図である。
【図１０】第２の網点化手段の作用説明図である。
【図１１】網点合成手段の作用説明図である。
【符号の説明】
【００７０】
１０    カラースキャナ
２０    ワークステーション
３０    フィルムプリンタ
４０    印刷機
４１    印刷画像
５０    パーソナルコンピュータ
６０    プリンタ
７０    プルーファ
７１    プルーフ画像
１１０    ＣＤ−ＲＯＭ
２００    用紙
２１０    第１の網点化手段
２２０    特色分解手段
２３０    第２の網点化手段
２４０    網点合成手段
３００    画像変換装置
３１０    第１の網点化手段
３２０    特色分解手段
３３０    第２の網点化手段
３４０    網点合成手段
７００    入力画像
７１０，７２０    部分画像
【図１】
2005101945.tif 000004
【図２】
2005101945.tif 000005
【図３】
2005101945.tif 000006
【図４】
2005101945.tif 000007
【図５】
2005101945.tif 000008
【図６】
2005101945.tif 000009
【図７】
2005101945.tif 000010
【図８】
2005101945.tif 000011
【図９】
2005101945.tif 000012
【図１０】
2005101945.tif 000013
【図１１】
2005101945.tif 000014